(57)【要約】【課題】  専門的な知識や高度な設備を用いることなく、簡便に帳票用紙を作成することができるデジタルペン入力システムを提供する。【解決手段】  所定のパターンを有するドットのみが印刷されたブランクスペースを有する原紙と、このブランクスペースに帳票レイアウトを印刷するプリンタと、ペン先で情報を記入すると共にペン先が通過した位置のドットを撮影して端末装置に出力するデジタルペンとを具備し、上記端末装置は、上記帳票レイアウトを読み込んで帳票レイアウトデータを生成するレイアウト読込手段と、この帳票レイアウトデータに基いて認識領域を設定する認識領域設定手段と、この認識領域ごとに認識処理タイプを設定する処理タイプ設定手段とを備え、デジタルペンから出力したドットパターン情報を、上記認識領域及び認識処理タイプを参照して認識処理する。【選択図】図１
2006309354.tif 000002
【特許請求の範囲】
【請求項１】
所定のパターンを有するドットのみが印刷されたブランクスペースを有する原紙と、このブランクスペースに帳票レイアウトを印刷して帳票用紙を作成するプリンタと、ペン先で情報を記入すると共にペン先が通過した位置のドットを撮影して、このドットパターン情報を端末装置に出力するデジタルペンとを具備し、
上記端末装置は、上記帳票用紙の帳票レイアウトを読み込んで帳票レイアウトデータを生成するレイアウト読込手段と、生成した帳票レイアウトデータに基いて認識処理すべき認識領域を設定する認識領域設定手段と、設定した認識領域ごとに認識処理タイプを設定する処理タイプ設定手段とを備え、デジタルペンから端末装置に出力したドットパターン情報を、設定した上記認識領域及び認識処理タイプを参照して認識処理することを特徴とするデジタルペン入力システム。
【発明の詳細な説明】
【技術分野】
【０００１】
本発明は、用紙にペン書きすると共に記入した情報を電子データとして記録するデジタルペン入力システムに関する。
【背景技術】
【０００２】
デジタルペン入力システムとは、通常の帳票レイアウトと共に所定のパターンでドットが印刷された帳票用紙に、小型のカメラを装着したペンで記入すると共にペンに設けられたカメラで用紙に印刷されたドットを撮影し、撮影したドットパターン情報をパソコンなどの端末装置に送信して、このデータから帳票の種類及びペン先が通過した帳票上での座標位置を算出して、帳票用紙に記入された情報を電子データ化するものである（特許文献１）。
【０００３】
このシステムを利用するユーザは、各ユーザの業務に適したアプリケーションソフトをそれぞれ独自に作成し、デジタルペン専用の連携アプリケーションキットを介して、作成したアプリケーションソフトに撮影したドットパターン情報を読み込ませて、帳票用紙に記入された情報を電子データとして保存する。
【０００４】
ところで、従来、デジタルペン入力システムで用いられる帳票用紙は、専用のアプリケーションを用いて帳票レイアウトを作成し、専門的な印刷設備によって白紙にこの帳票レイアウトと共に所定のパターンを有するドットを印刷して、さらに、デジタルペンが処理する特殊な機能などを定義（帳票定義）して、印刷された帳票レイアウトの特定の枠線内にチェックを入れることで用紙への記入開始や記入終了を示すコードとしたり、ペン内臓のメモリに蓄積されたデータを端末装置に送信したり、メモリ内のデータを消去したりする機能を設定して作成される。
【０００５】
したがって、帳票用紙の作成には、専門的なアプリケーションとそのアプリケーションを扱うための知識に加えて印刷設備と高度な印刷技術が必要であって、専門の業者に発注しなければならず、帳票用紙の作成には多額のコストがかかるうえに、これら帳票レイアウト及び帳票定義は帳票用紙を作成する段階で全て決定されている必要がある。つまり、帳票レイアウトや帳票定義を変更する場合には、些細な変更であっても、業者に発注して作成し直す必要があり、その都度、多額のコストがかかることになる。
【０００６】
そのため、このシステムを導入するためにシステムの試用及び評価をしたり、このシステムを用いたソリューションの提案をする場合などのデジタルペン入力システムの導入以前の段階や、デジタルペン入力システムを導入した後に帳票用紙の改善をする場合でも、各業務の使用態様に合った帳票用紙や新しい帳票用紙を作成するためには、それぞれの帳票用紙を作成するごとに多額の初期コストを要し、デジタルペン入力システムの普及を阻害する原因となっていた。
【特許文献１】特表２００３−５１１７６１号公報
【発明の開示】
【発明が解決しようとする課題】
【０００７】
解決しようとする問題点は、システムの試用や評価などシステム導入以前の段階において帳票用紙の作成に多額のコストがかかってしまう点であり、本発明は、専門的な知識や高度な設備を用いることなく、簡便に帳票用紙を作成することができるデジタルペン入力システムを提供することを目的とする。
【課題を解決するための手段】
【０００８】
上記課題を解決するために、請求項１記載のごとく、所定のパターンを有するドットのみが印刷されたブランクスペースを有する原紙と、このブランクスペースに帳票レイアウトを印刷して帳票用紙を作成するプリンタと、ペン先で情報を記入すると共にペン先が通過した位置のドットを撮影して、このドットパターン情報を端末装置に出力するデジタルペンとを具備し、上記端末装置は、上記帳票用紙の帳票レイアウトを読み込んで帳票レイアウトデータを生成するレイアウト読込手段と、生成した帳票レイアウトデータに基いて認識処理すべき認識領域を設定する認識領域設定手段と、設定した認識領域ごとに認識処理タイプを設定する処理タイプ設定手段とを備え、デジタルペンから端末装置に出力したドットパターン情報を、設定した上記認識領域及び認識処理タイプを参照して認識処理することを特徴とするデジタルペン入力システムを提供する。
【発明の効果】
【０００９】
請求項１記載のごとく構成したことにより、原紙のブランクスペースに印刷した任意の帳票レイアウトを読み込んで、この帳票レイアウトデータに従って認識処理すべき認識領域及び認識処理タイプを設定して、これらの認識設定に基いて認識処理ができるため、専用のアプリケーションや専門的な設備を要することなくデジタルペン入力に対応した帳票用紙を作成して利用することができ、システムの試用及び評価などのために少量多種の帳票用紙を簡便に必要な枚数だけ供給することができる。
【発明を実施するための最良の形態】
【００１０】
以下、図面を参照して本発明の実施形態を説明する。図１は、本発明に係るデジタルペン入力システムの構成を示す図である。
【００１１】
このデジタルペン入力システムは、デジタルペン１０と、このデジタルペン１０と通信可能な端末装置２０と、図１において拡大図視したごとく所定のパターンでドット３２が印刷された原紙３０と、この原紙３０に帳票レイアウトを印刷するプリンタユニット２２とにより構成されている。
【００１２】
端末装置２０は、デジタルペン１０と無線又は有線によって通信することができるもので、例えばパーソナルコンピュータやサーバ装置などである。端末装置２０はモニタ２１を備え、プリンタ２２と接続されている。通信はＬＡＮ、インターネット回線又はＵＳＢ接続などを介して行なわれる。
【００１３】
原紙３０は、図１において拡大して図視したように所定のパターンで印刷された多数のドット３２を有しており、このドット３２のみが印刷されたブランクスペース３１を備える汎用用紙である。ブランクスペース３１は原紙３０の中央部に配置され、プリンタ２２によって、このブランクスペース３１に帳票レイアウトを印刷して帳票用紙３５を作成する。
【００１４】
ブランクスペース３１の周囲には、複数のチェックボックス３３が設けられていてもよい。このチェックボックス３３にはデジタルペン１０によって処理される特殊な機能などがあらかじめ定義されている。ドット３２は赤外線を吸収するインクによって印刷されており、帳票レイアウトの枠線やチェックボックス３３はこのドット３２と干渉することがないように赤外線を吸収しないインクによって印刷される。
【００１５】
次に、デジタルペン１０の構造について説明する。図２はデジタルペンの構造の一構成例を示す図である。
【００１６】
デジタルペン１０は、用紙に書き込むためのペン先１１及びインクカートリッジ１７を備えると共に、ペン先１１の筆圧を検出する筆圧センサ１８と、ペン先１１の通過した用紙上のドット３２を撮影するカメラ１２と、デジタルペン１０の制御及びデータの処理を行なうプロセッサ１３と、データを記憶するメモリ１４と、端末装置２０と有線又は無線により通信を行なう通信ユニット１５と、デジタルペン１０を駆動するバッテリ１６とにより構成される。
【００１７】
デジタルペン１０を用いて帳票用紙３５に文字等を書き込むと筆圧センサ１８が筆圧を検出し、プロセッサ１３は、カメラ１２によってドット３２を撮影させる。このカメラ１２は赤外線を利用したもので、赤外線を吸収するインクによって印刷されたドット３２のみを撮影することができる。
【００１８】
撮影したドットパターン情報は、時系列順にメモリ１４に保存され、通信ユニット１５によってメモリ１４に保存されたこれらのデータが端末装置２０へと送信される。データの通信は、帳票用紙３５への記入を終えた後にメモリ１４に保存されたデータを端末装置２０へ送信したり、デジタルペン１０で帳票用紙３５へ記入すると同時にデータを無線又は有線で端末装置２０へと送信する。
【００１９】
メモリ１４には、ドットパターン情報と共に筆圧センサ１８によって測定した筆圧データやデジタルペン１０に内蔵された計時機能（図示せず）から読み取った時刻データ等を併せて保存させてもよい。
【００２０】
また、端末装置２０に送信されるドットパターン情報は、デジタルペン１０のカメラ１２で撮影したドットパターン画像データであってもよいし、撮影したドットパターン画像データから算出したペン先１１の軌跡を示すストロークデータなどでもよく、さらにドットパターン情報と共に筆圧データや時刻データ等を送信するようにしてもよい。
【００２１】
次に、レイアウト読込手段の実施形態について説明する。レイアウト読込手段により帳票用紙３５に印刷された帳票レイアウトから帳票レイアウトデータ３６を生成することができる。レイアウト読込手段は、帳票レイアウトが印刷された帳票用紙３５をスキャナで読み込んで画像データを生成し、この画像データを帳票レイアウトデータ３６として用いる。また、別の実施形態では、文書作成ソフトや表計算ソフトで作成したデータを読み込んで画像データを生成し、この画像データを帳票レイアウトデータ３６として用いることもできる。
【００２２】
次に、図３乃至図４を参照して認識領域設定手段の実施形態について説明する。認識領域設定手段により帳票用紙３５に認識処理すべき認識領域の範囲を設定することができる。この認識領域は、レイアウト読込手段によって生成した帳票レイアウトデータ３６を用いて、例えば帳票レイアウトデータ３６の左上端を原点としてピクセルやミリメートル単位で縦と横の座標を設定しておき、認識領域の左上端の座標値とその認識領域の縦と横の長さによって各認識領域を設定する。
【００２３】
認識領域設定手段の第１の実施形態において座標値の設定は、図３に示すように、モニタ２１にダイアログボックス２３と帳票レイアウトデータ３６とを表示して、認識領域の左上端を基準位置としてその座標値をダイアログボックス２３に入力し、さらにその認識領域の縦及び横の長さを入力して行なう。
【００２４】
また、認識領域設定手段の第２の実施形態では図４に示すように、帳票レイアウトデータ３６をモニタ２１に表示し、このレイアウトデータ上をマウスでドラッグして所望の範囲を選択し、その選択範囲を認識領域として設定する。
【００２５】
次に、処理タイプ設定手段について説明する。処理タイプ設定手段により認識領域設定手段で設定した認識領域について、各認識領域ごとの処理タイプを設定することができる。ここで設定される処理タイプとは、例えば、データ出力時における認識領域のデータ順序、認識領域に記入される情報の種別（手書き文字、印字文字、チェックマーク、図形や絵など）、文字属性（記号、漢字、ひらがな、カタカナや英数字など）、言語（日本語、英語、フランス語やロシア語など）、認識領域内に記入される文字数（所定の文字数やフリーピッチなど）及び出力形式（固定長出力、データ区切記号や出力のｏｎ−ｏｆｆなど）などである。
【００２６】
次に、このようにして構成したデジタルペン入力システムの使用態様の一例について説明する。
【００２７】
オペレータは、まずプリンタ２２によって原紙３０のブランクスペース３１に帳票レイアウトが印刷された帳票用紙３５から、レイアウト読込手段によって帳票レイアウトデータ３６を生成する。そして、この帳票レイアウトデータ３６に基いて認識領域設定手段及び処理タイプ設定手段により、それぞれ認識領域Ｆ及び認識処理タイプを設定する。これらの設定はモニタ２１に帳票レイアウトデータ３６を表示して端末装置２０上で行なわれる。
【００２８】
この帳票用紙３５にデジタルペン１０で記入し、ドットパターン情報を端末装置２０に出力すると、このドットパターン情報に基いて電子データ化された記入情報画像から、各認識領域Ｆごとに設定された認識処理タイプに従って認識処理を行なって、所望のデータ形式で保存される。
【００２９】
上記のごとく構成したデジタルペン入力システムは以下に述べるような効果を奏する。
【００３０】
本発明にかかるデジタルペン入力システムは、ドット３２のみが印刷されたブランクスペース３１を有する原紙３０にプリンタ２２で帳票レイアウトを印刷すると共に、レイアウト読込手段によって帳票レイアウトデータ３６を生成し、認識領域設定手段及び処理タイプ設定手段によって認識領域及び認識処理タイプを設定してデジタルペン入力用の帳票用紙として利用することができるため、少量多種の帳票用紙を簡便に必要な枚数だけ供給することができる。
【図面の簡単な説明】
【００３１】
【図１】本発明に係るデジタルペン入力システムの構成を示す図である。
【図２】デジタルペンの構造の一構成例を示す図である。
【図３】認識領域設定手段の第１の実施形態を説明する図である。
【図４】認識領域設定手段の第２の実施形態を説明する図である。
【符号の説明】
【００３２】
１０    デジタルペン
２０    端末装置
２１    モニタ
２２    プリンタ
２３    ダイアログボックス
３０    原紙
３１    ブランクスペース
３２    ドット
３３    チェックボックス
３５    帳票用紙
３６    帳票レイアウトデータ
Ｆ      認識領域
【図１】
2006309354.tif 000003
【図２】
2006309354.tif 000004
【図３】
2006309354.tif 000005
【図４】
2006309354.tif 000006